(57)【要約】【課題】キーパネルの回動状態によって機能が変化するキーを操作する際に、所望のキーのあるキーパネル面を開くために、どのキーパネルを回動させればよいかを素早く判断できるようにする。【解決手段】複数のキー２８・２８・・・を備える操作パネル１５に、複数枚重ねて配置され、それぞれが開閉可能に設けられ、開閉状態に応じて前記キーの割り当て機能を変更させるキーパネル２９ａ・２９ｂ・２９ｃにおいて、それぞれのキーパネル２９ａ・２９ｂ・２９ｃに把持部３１ａ・３１ｂ・３１ｃを設け、該把持部３１ａ・３１ｂ・３１ｃに対応する位置に表示部３５を形成した。【選択図】        図５
2004172718.tif 000002
【特許請求の範囲】
【請求項１】
複数のキーを備える操作パネルに、複数枚重ねた状態で開閉可能に設けられ、開閉状態に応じて前記キーの割り当て機能を変更させるキーパネルにおいて、それぞれのキーパネルに把持部を設け、該把持部に対応する位置に表示部を形成した、ことを特徴とするキーパネル。
【請求項２】
前記表示部を、キーパネル上に、各キーパネル面に対応するキー番号を表示するシール部材を貼付して構成した、ことを特徴とする請求項１記載のキーパネル。
【請求項３】
前記表示部を、キーパネル上に、各キーパネル面に対応するキー番号を刻印して構成した、ことを特徴とする請求項１記載のキーパネル。
【発明の詳細な説明】
【０００１】
【発明の属する技術分野】
本発明は、ファクシミリ装置等の機器の操作パネル面に設けられるキーパネルの構成に関する。
【０００２】
【従来の技術】
近年、ファクシミリ装置等の機器においては、多機能化に伴い操作パネル面上に設けられるキーの数が増加する傾向にあるが、配置できるキーの数は、操作パネル面のスペース的な制約により限りがある。
したがって、キーが設けられる操作パネル面上に、回動自在なキーパネルを設けて、該キーパネルの回動状態により操作キーの機能切換を可能とし、該キーに複数の機能を具備させることが行われている。例えば、一つのキーには、キーパネルの回動状態に応じて、複数の相手先に対応するワンタッチダイヤル機能が割り付けられていた。
そして、各キーパネルの端縁には突片からなる把持部が設けられ、該把持部を把持してキーパネルを回動させて、所望のキーを探し出すようにしていた。（例えば、特許文献１参照。）
【０００３】
【特許文献１】
特開２００２−２６８８０２号公報
【０００４】
【発明が解決しようとする課題】
しかし、一つのキーに複数の機能を具備させるために、キーパネルの枚数を増やすと、所望のキーのあるキーパネル面を開くために、把持部を把持してキーパネルを回動させる際、どのキーパネルを回動させればキーを探し出せるかが分かりにくいという問題があった。
【０００５】
【課題を解決するための手段】
本発明の解決しようとする課題は以上の如くであり、次にこの課題を解決するための手段を説明する。
【０００６】
即ち、請求項１においては、複数のキーを備える操作パネルに、複数枚重ねた状態で開閉可能に設けられ、開閉状態に応じて前記キーの割り当て機能を変更させるキーパネルにおいて、それぞれのキーパネルに把持部を設け、該把持部に対応する位置に表示部を形成したものである。
これにより、キーパネルの開閉状態によって機能が変化するキーを操作する際に、キーに所望の機能を割り当てるためには、どのキーパネルを開閉すればよいかを、ユーザは、各キーパネルをめくることなく、視認により確認することができる。したがって、ユーザが、キーパネルの開閉操作に要する手間を省くことができると共に、キーパネルの開閉頻度を低下させて耐久性を向上させることが可能となる。
【０００７】
請求項２においては、前記表示部を、キーパネル上に、各キーパネル面に対応するキー番号を表示するシール部材を貼付して構成したものである。
これにより、異なるシール部材を貼付するだけで、同一のキーパネル部材を用いながら、多くの仕様に応じたキーパネルを製造することが可能となる。したがって、キーパネル上にキー番号を直接印刷する場合と比して、在庫管理上も有利である。
【０００８】
請求項３においては、前記表示部を、キーパネル上に、各キーパネル面に対応するキー番号を刻印して構成したものである。
このため、キーパネルの開閉操作による指等の押圧が継続的に行われた結果として、表示内容が擦れて判別不能になるなどの不具合の発生を防止することができる。つまり、キーパネルの耐久性を向上させることができる。
【０００９】
【発明の実施の形態】
次に、発明の実施の形態を説明する。
図１は本発明の一実施例に係るファクシミリ装置の全体的な構成を示した斜視図、図２は操作パネルの平面図、図３はキーパネル構造の全体斜視図、図４はキーパネルの枢支構成及び識別部の構成を示した斜視図、図５は三枚全てのキーパネルが閉じられている状態を示す図、図６は上から二枚目及び三枚目が閉じられている状態を示す図、図７は上から三枚目のキーパネルのみ閉じられている状態を示す図、図８は三枚全てのキーパネルが開放されている状態を示す図である。
【００１０】
図１に示すように、ファクシミリ装置１は、記録部２の上方に読取部３を配置しており、該記録部２においては、記録装置４及び給紙カセット５がそれぞれ上下に内装されて、給紙カセット５内に堆積される用紙を記録装置４へ給紙して記録した後に、記録紙排出トレイから排出するように構成している。
【００１１】
前記読取部３においては、読取ケース１３内に原稿等の内容を読み取るための読取装置を収納される一方、該読取ケース１３の一端部に原稿を自動的に給紙する自動給紙装置（ＡＤＦ装置）８が付設されて、原稿供給トレイ９に載置した原稿を自動給紙装置８により一枚ずつピックアップして、搬送装置により読取ケース１３上面の一端部へ搬送し、静止状態の読取装置により内容を読み取った後に、原稿排出トレイ１０へ排出するように構成している。
【００１２】
また、読取ケース１３の一側方には操作パネル１５が付設され、該操作パネル１５の各種操作キーを操作することにより、原稿内容の読み取りを行ったり、読み取った内容をファクシミリ送信する際の送信先の設定を行ったり、受信内容や読み取った内容の記録装置４による記録を行ったりするようにしている。
以下では、ファクシミリ装置１において、ユーザが正対する操作パネル１５側を前側とする。
【００１３】
次に、操作パネル１５について説明する。図２に示すように、操作パネル１５上の操作パネル面には各種の操作キー等が設けられている。
例えば、原稿内容のファクシミリ送信等を開始する際に操作するスタートキー２１、これらの動作を途中で停止する際等に操作するストップキー２２、ファクシミリ送信先へのダイヤルの際等に操作するテンキー２３、ファクシミリ装置１の各種設定や操作の内容の選択・決定等を行うカーソルキー２６、ファクシミリ送信の宛先やよく使用する一連の操作手順を予め登録しておき、ワンタッチでファクシミリ送信や複数のキー入力を要する様々な操作を行うことができる複数のキー２８・２８・・・、並びにファクシミリ装置１の動作状態や設定状態等を表示する表示部２７等が設けられている。
【００１４】
複数のキー２８・２８・・・を備える操作パネル１５には、キーパネル２９・２９・・が、複数枚重ねて配置され、それぞれが開閉可能に設けられている。キーパネル２９・２９・・は、自らの開閉状態に応じて、前記キー２８・２８・・・の割り当て機能を変更させる手段とされている。
具体的には、操作パネル面における、キー２８・２８・・・が設けられている部分に三枚のキーパネル２９ａ・２９ｂ・２９ｃが配設されて（キーパネル２９ｂ・２９ｃは図３に図示）、キーパネル部３０が構成されている。該キーパネル部３０は拡大図である図３に示すように、四行四列に配設されたキー群２８・２８・・・と、三枚のキーパネル２９ａ・２９ｂ・２９ｃとを有している。
以下で、キーパネル２９ａ・２９ｂ・２９ｃを区別する必要のない場合は、キーパネル２９と記載する。
【００１５】
三枚のキーパネル２９ａ・２９ｂ・２９ｃはいずれも略長方形の板状に形成されており、キーパネル２９ａ・２９ｂ・２９ｃの装置奥側の端縁が操作パネル１５の基体１６にピン３４を介して枢支されることで、操作パネル面に開閉可能に取り付けられている。なお、図３は、三枚のキーパネル２９ａ・２９ｂ・２９ｃを上方へ回動して開いた状態を示している。
キーパネル２９ａ・２９ｂ・２９ｃを開放した基体１６の露出部は、キーパネル２９の外形に対応した凹領域４０となっており、該凹領域４０内で、前述のとおり四行四列に整列配置されたキー２８・２８・・・が突出されている。三枚のキーパネル２９ａ・２９ｂ・２９ｃにはいずれも前記キー群２８・２８・・・の位置及び形状に合わせて孔３９・３９・・・が開口され、キーパネル２９を閉じたときにキー２８の頭部が前記孔３９を挿通して突出するようになっている。
そして、孔３９・３９・・・より突出するキー２８・２８・・・のそれぞれに対応してキー番号が割り当てられ、該キー番号が各キーパネル面に表示されている。前記ピン３４は、キー２８・２８・・・が配置される領域４０の装置奥側に備えられている。
【００１６】
また、前記キーパネル２９の開閉状態を検知するための検知手段３３ａ・３３ｂ・３３ｃが、図３に示すように、前記凹領域４０に開口した小径の孔から伸縮可能に突出されており、キーパネル２９を利用者が閉じたときに該キーパネル２９が検知手段３３の先端に接触しながら下方へ押し込むように構成されている。なお、検知手段３３ａ・３３ｂ・３３ｃを区別する必要のない場合は、検知手段３３と記載する。
三つの検知手段３３ａ・３３ｂ・３３ｃは三枚のキーパネル２９ａ・２９ｂ・２９ｃにそれぞれ対応しており、上から三枚目のキーパネル２９ｃのみ閉じられている状態では検知手段３３ｃが押し込まれ、上から二枚目のキーパネル２９ｂ及び三枚目のキーパネル２９ｃが閉じられているときは二つの検知手段３３ｂ・３３ｃが押し込まれ、三枚全てのキーパネルが閉じられている状態では三つの検知手段３３ａ・３３ｂ・３３ｃが押し込まれる。
なお、キーパネル２９ｃは、閉鎖時に検知手段３３ａ・３３ｂと接触しないように、検知手段３３ａ・３３ｂと対応する部位（キーパネル２９ｃの枢設側両端隅部）が、切欠かれている。同様に、キーパネル２９ｂは、閉鎖時に検知手段３３ａと接触しないように、検知手段３３ａに対応する部位（キーパネル２９ｂの枢設側で検知手段３３ａ側の隅部）が、切欠かれている。
これらの検知手段３３の伸縮状態は、ファクシミリ装置１の制御装置で検知できるようになっている。そして、該制御装置は、現在キーパネル２９がどのような状態にあるかを前記三つの検知手段３３ａ・３３ｂ・３３ｃの伸縮状態の検知情報に基づいて判断し、それに対応して、入力手段としての前記キー２８・２８・・・の機能を割り当てるのである。
【００１７】
以上のようにして、一つのキー２８に複数の機能を割り当て、キーパネル２９の開閉状態に応じてその機能を切り換えられるように構成している。
本実施の形態では、ファクシミリ装置１は三枚のキーパネル２９を備えるので、キーパネル２９を開放する枚数に応じて、つまり四つの異なる状態に応じて、キー２８・２８・・・に対して、それぞれ異なる宛先のダイヤル番号を登録したり、異なる操作手順を登録したりすることができる。
四つの異なる状態とは、三枚のキーパネル２９を全て閉鎖した場合、一枚のキーパネル２９を開放した場合、二枚のキーパネル２９を開放した場合、三枚のキーパネル２９全てを開放した場合、の四つである。
【００１８】
ここで、図４、図５に示すように、各キーパネル２９ａ・２９ｂ・２９ｃの遊端側の端縁にはそれぞれ、前側に突出する突片として、把持部３１ａ・３１ｂ・３１ｃが設けられている。把持部３１ａ・３１ｂ・３１ｃは、互いに重ならないように左右位置をズラして配置されている。そして、該把持部３１ａ・３１ｂ・３１ｃを手で持ってキーパネル２９ａ・２９ｂ・２９ｃの開閉を行えるようにしている。以下で、把持部３１ａ・３１ｂ・３１ｃを特定する必要のない場合は把持部３１と記載する。
なお、把持部３１のそれぞれの上面には識別部３２を設けてある。該識別部３２は、例えば、上から一枚目のキーパネル２９ａにおいては識別部３２は小さい円形の突起を一つ形成してあり、二枚目のキーパネル２９ｂの識別部３２においては同様の突起を二つ形成し、三枚目のキーパネル２９ｃの識別部３２においては同様の突起を三つ形成してある。このように把持部３１上に識別部３２を設けることにより、該識別部３２を見れば、今何枚目のキーパネルが開かれているのかを利用者が容易に知ることができるようにしている。
【００１９】
さらに、図５から図７に示すように、三枚のキーパネル２９ａ・２９ｂ・２９ｃの両面には、遊端側の端部にそれぞれ、各キーパネルに対応する表示部３５が一又は複数箇所形成されている。該表示部３５はそれぞれ、各キーパネル２９が操作パネル１５の表面に現れた場合（閉鎖状態のキーパネル２９のうち最上層となっている場合）の、キー番号（割り当てに応じたキー２８・２８・・・の機能）を案内するものである。
図５から図７に示すように、キーパネル２９ａ・２９ｂ・２９ｃの開閉状態によらず、操作パネル１５表面には常に、三つの表示部３５・３５・３５が現れるようになっている。図６に示すように、キーパネル２９ａのみを開放した状態では、キーパネル２９ａの裏面の表示部３５と、キーパネル２９ｂ表面の二つの表示部３５・３５とが、操作パネル１５表面に現われている。
なお、キーパネル２９の表面とは、該キーパネル２９を閉鎖した状態において操作パネル１５表面に現れる面のことを意味する。
【００２０】
各キーパネル２９の各面（表面および裏面）において、表示部３５は、各キーパネル２９に備える各把持部３１にそれぞれ対応した位置に形成されている。キーパネル２９は操作パネル１５に三枚設けられているので、それと同数の表示部３５が、各キーパネル２９に設けられている。
【００２１】
そして、各表示部３５には、該表示部３５に対応する把持部３１を備えるキーパネル２９が、操作パネル１５の表面に現れた場合に、キーパネル２９の開閉状態に応じて割り当てられたキー２８・２８・・・のキー番号が、表示されるものとなっている。
このため、キーに所望の機能を割り当てるためには、どのキーパネルを開閉すればよいかを、ユーザは、各キーパネルをめくることなく、視認により確認することができる。したがって、ユーザが、キーパネルの開閉操作に要する手間を省くことができると共に、キーパネルの開閉頻度を低下させて耐久性を向上させることが可能となる。
【００２２】
キー番号の表示手段である表示部３５を、本実施の形態では、各キーパネル面に対応するキー番号を表示するシール部材を貼付して構成している。
各キーパネル面に対応するキー番号とは、各キーパネル２９が操作パネル１５の表面に現れた場合（閉鎖状態のキーパネル２９のうち最上層となっている場合）に、そのキーパネル２９に対応するキー番号（割り当てに応じたキー２８・２８・・・の機能）のことである。
つまり各シール部材３６には、各キーパネル２９に対応するキー番号が表示されている。
【００２３】
三枚全てのキーパネル２９を開放した状態では、図８に示すように、キー２８・２８・・・には、キー番号「４９〜６４」の機能が割り当てられる。このため、前記基体１６上面には、キー２８・２８・・・に応じてキー番号「４９〜６４」が表示されている。
この状態では、キーパネル２９ｃの裏面が現れており、該裏面に、把持部３１ａに対応してキー番号「１〜１６」、把持部３１ｂに対応してキー番号「１７〜３２」、把持部３１ｃに対応してキー番号「３３〜４８」と表示されたシール部材３６が貼付されて表示部３５が構成されている。
【００２４】
また、基体１６上に配置される上から三枚目のキーパネル２９ｃには、図７に示すように、把持部３１ｃに対応して「４９〜６４」と表示されたシール部材３６が貼付されて表示部３５が構成されている。該キーパネル２９ｃには、各キー２８に対応する部位（表示部３５とは異なる、各キー２８の近傍位置）に、キー番号「３３〜４８」が割り当てられて表示されている。
この状態では、キーパネル２９ｂの裏面が現れており、該裏面に、把持部３１ａに対応してキー番号「１〜１６」、把持部３１ｂに対応してキー番号「１７〜３２」と表示されたシール部材３６が貼付されて表示部３５が構成されている。
【００２５】
図６に示すように、キーパネル２９ａを開放した状態では、キー２８・２８・・・には、キー番号「１７〜３２」の機能が割り当てられる。このため、各キー２８に対応する部位（キー２８の近傍位置）に、キー番号「１７〜３２」が表示されている。
該キーパネル２９ｃ上に配置される上から二枚目のキーパネル２９ｂには、把持部３１ｂに対応して「３３〜４８」、把持部３１ｃに対応して「４９〜６４」と表示されたシール部材３６が、該キーパネル２９ｂの表面に貼付されて表示部３５が構成されている。
また、この状態では、キーパネル２９ａの裏面が現れており、該裏面に、把持部３１ａに対応して、キー番号「１〜１６」と表示されたシール部材３６が貼付されて表示部３５が構成されている。
【００２６】
図５に示すように、全てのキーパネル２９を閉鎖した状態では、キー２８・２８・・・には、キー番号「１〜１６」の機能が割り当てられる。このため、各キー２８に対応する部位（キー２８の近傍位置）に、キー番号「１〜１６」が表示されている。
キーパネル２９ｂ上に配置される上から一枚目のキーパネル２９ａには、把持部３１ａに対応してキー番号「１７〜３２」、把持部３１ｂに対応してキー番号「３３〜４８」、把持部３１ｃに対応してキー番号「４９〜６４」と表示されたシール部材３６が、表面に貼付されて表示部３５が構成されている。
【００２７】
以上のように、表示部３５をシール部材３６を貼付することで構成することにより、異なるシール部材３６を貼付するだけで、同一のキーパネル部材を用いながら、多くの仕様に応じたキーパネルを製造することが可能となる。したがって、キーパネル２９上にキー番号を直接印刷する場合と比して、在庫管理上も有利である。
【００２８】
このように表示部３５を構成することで、ファクシミリ装置１で送信するために、送信先を表示したリスト等より宛先のダイヤル番号を登録したキーのキー番号を確認し、該キー番号のキーを探すためにキーパネル２９を開閉させる際、キーパネル面のシール部材３６を見れば、何枚目のキーパネルを開けば所望のキーを見つけられるのかを利用者は即時に知ることができる。なお、表示部に表示するものは特に限定するものではなく、各キーパネルにおけるキーを判別できるものであればよい。
【００２９】
また、前記表示部３５を、前述の如く、シール部材３６を貼付して構成する代わりに、各キーパネル面に対応するキー番号を、直接キーパネル２９上に刻印して構成することもできる。
ここで、表示部３５は、ユーザがキーパネル２９を頻繁にめくる度に、指等の接触を受ける部位である。したがって、表示部３５上のキー番号の表示を単に印刷するだけとした場合は、キーパネル２９の開閉操作を行っているうちに、キー番号表示が擦れるなどして、表示内容の判別がつかなくなってしまうことがある。
このため、表示部３５上のキー番号の表示を刻印により構成することで、キーパネル２９の開閉操作による指等の押圧が継続的に行われた結果として、表示内容が擦れて判別不能になるなどの不具合の発生を防止することができる。つまり、キーパネル２９の耐久性を向上させることができる。
【００３０】
以上のように、把持部３１に対応してキーパネル２９に表示部３５を設けることにより、キーパネル２９の回動状態によって機能が変化するキー２８を操作する際に、開閉すべきキーパネルを素早く判断して把持し、所望のキーのあるキーパネル面を開くことができる。したがって、各キーパネル面のキー番号をいちいち確認することなく、所望のキーを探し出して操作を行うことができる。
【００３１】
【発明の効果】
請求項１に記載する構成とすることで、ユーザが、キーパネルの開閉操作に要する手間を省くことができると共に、キーパネルの開閉頻度を低下させて耐久性を向上させることが可能となる。
【００３２】
請求項２に記載する構成とすることで、在庫管理上も有利である。
【００３３】
請求項３に記載する構成とすることで、キーパネルの耐久性を向上させることができる。
【図面の簡単な説明】
【図１】本発明の一実施例に係るファクシミリ装置の全体的な構成を示した斜視図。
【図２】操作パネルの平面図。
【図３】キーパネル構造の全体斜視図。
【図４】キーパネルの枢支構成及び識別部の構成を示した斜視図。
【図５】三枚全てのキーパネルが閉じられている状態を示す図。
【図６】上から二枚目及び三枚目が閉じられている状態を示す図。
【図７】上から三枚目のキーパネルのみ閉じられている状態を示す図。
【図８】三枚全てのキーパネルが開放されている状態を示す図。
【符号の説明】
１５  操作パネル
２８  キー
２９ａ・２９ｂ・２９ｃ  キーパネル
３１ａ・３１ｂ・３１ｃ  把持部
３５  表示部
３６  シール部材
【図１】
2004172718.tif 000003
【図２】
2004172718.tif 000004
【図３】
2004172718.tif 000005
【図４】
2004172718.tif 000006
【図５】
2004172718.tif 000007
【図６】
2004172718.tif 000008
【図７】
2004172718.tif 000009
【図８】
2004172718.tif 000010